(57)【要約】【課題】表示装置において、表示画像を視認できないために表示装置を操作することができなくなることを防ぐ。【解決手段】ユーザにより最低輝度（設定値）の設定操作がされたときに、ＣＰＵは、最低輝度設定値が保存される前に、一時的に、バックライトの輝度を、設定操作で設定された最低輝度設定値に相当する輝度にする（Ｓ２乃至Ｓ６）。これにより、ユーザにより最低輝度設定値の設定操作がされたときに、最低輝度設定値が保存される前に、ユーザが、設定した最低輝度設定値が、表示画像を視認できないような低過ぎる輝度に相当する値であるか否かを知ることができる。従って、表示画像を視認できないような低過ぎる輝度に相当する最低輝度設定値を保存してしまうことを防ぐことができるので、最低輝度の設定用の半固定ボリュームを有していない場合でも、ユーザが表示画像を視認できないために情報端末を操作できなくなることを防ぐことができる。【選択図】図４
2014002258.tif 000002
【特許請求の範囲】
【請求項１】
画像を表示する表示手段と、
前記表示手段の光源と、
装置周辺の明るさを検知するための照度検知手段と、
前記照度検知手段で検知した装置周辺の明るさに応じて前記光源の輝度を調整する調光手段と、
前記調光手段により調整可能な前記光源の限界輝度を設定するための限界輝度設定手段と、
前記限界輝度設定手段を用いて設定された前記限界輝度の値を保存する保存手段とを備え、
前記限界輝度設定手段を用いてユーザにより前記限界輝度の設定操作がされたときに、前記調光手段は、前記限界輝度の値が前記保存手段に保存される前に、一時的に、前記光源の輝度を、前記設定操作で設定された限界輝度にすることを特徴とする表示装置。
【請求項２】
前記限界輝度設定手段は、ユーザによる画面操作に応じて、前記限界輝度を設定するものであることを特徴とする請求項１に記載の表示装置。
【請求項３】
前記表示手段の画面に設けられたタッチパネルをさらに備え、
前記ユーザによる画面操作は、ユーザによる前記タッチパネルを用いた操作であることを特徴とする請求項２に記載の表示装置。
【請求項４】
装置のリセット時及び装置の強制終了時の少なくともいずれかのときに、前記保存手段に保存された前記限界輝度の値を初期化する初期化手段をさらに備えたことを特徴とする請求項１乃至請求項３のいずれか１項に記載の表示装置。
【請求項５】
前記調光手段が、一時的に、前記光源の輝度を、前記設定操作で設定された限界輝度にしているときに、前記光源の輝度が一時的に前記限界輝度になっている旨を報知する限界輝度仮出力報知手段をさらに備えたことを特徴とする請求項１乃至請求項４のいずれか１項に記載の表示装置。
【発明の詳細な説明】
【技術分野】
【０００１】
本発明は、自動調光機能を有する表示装置に関する。
【背景技術】
【０００２】
従来、液晶表示装置等の表示装置において、装置周辺の明るさを検知するための光センサを備え、この光センサで検知した装置周辺の明るさに応じて、バックライト等の光源の輝度を調整する機能（自動調光機能）を有するものが知られている（特許文献１乃至４参照）。例えば、特許文献１に記載された液晶表示装置は、最低輝度の設定用の半固定ボリュームを有しており、ユーザは、この半固定ボリュームを用いて、自動調光モード時における最低輝度を設定することができる。従って、この液晶表示装置では、例え、ユーザが、自動調光モード時における最低輝度を、表示画像を視認できないような低過ぎる輝度に設定してしまった場合でも、上記の半固定ボリュームを用いて最低輝度をより高い輝度に設定し直すことにより、表示画像を視認できるようにすることができる。
【先行技術文献】
【特許文献】
【０００３】
【特許文献１】特開平９−３７１９６号公報
【特許文献２】特開２００１−３５０４４１号公報
【特許文献３】特開２０１１−６４７６１号公報
【特許文献４】特開２００１−１３４２５５号公報
【発明の概要】
【発明が解決しようとする課題】
【０００４】
ところが、上記従来の自動調光機能を有する表示装置では、ユーザは、自動調光モード時における最低輝度を設定しているときに、設定した最低輝度が、表示画像を視認できないような低過ぎる輝度であるか否かを知ることができない。このため、上記特許文献１に記載された液晶表示装置と異なり、最低輝度の設定用の半固定ボリュームを有しておらず、ユーザによる画面操作（例えば、ユーザによる表示画面上のタッチパネルの操作）により最低輝度の設定を行う表示装置では、自動調光モード時における最低輝度を、表示画像を視認できないような低過ぎる輝度に設定して、この最低輝度設定値をメモリに保存してしまった場合には、自動調光モード時に、ユーザが、表示画像を視認できないことが起り得る。この場合には、ユーザは、最低輝度をより高い輝度に設定し直すことができないため、表示装置を操作することができなくなるということが起り得る。
【０００５】
また、ユーザによる画面操作（例えば、ユーザによる表示画面上のタッチパネルの操作）により最高輝度の設定を行う表示装置においても、自動調光モード時における最高輝度を、表示画像を視認できないような（表示画面が真っ白になるような）高い輝度に設定して、この最高輝度設定値をメモリに保存してしまった場合には、自動調光モード時に、ユーザが、表示画像を視認できないことが起り得る。この場合には、ユーザは、最高輝度をより低い輝度に設定し直すことができないため、表示装置を操作することができなくなるということが起り得る。
【０００６】
本発明は、上記課題を解決するものであり、ユーザにより限界輝度（最低輝度又は最高輝度）の設定操作がされたときに、限界輝度の値が保存される前に、ユーザが、設定した限界輝度が、表示画像を視認できないような（低過ぎる又は高すぎる）輝度であるか否かを知ることができるようにして、表示画像を視認できないために表示装置を操作することができなくなることを防ぐことが可能な表示装置を提供することを目的とする。
【課題を解決するための手段】
【０００７】
上記課題を解決するために、本発明の表示装置は、画像を表示する表示手段と、表示手段の光源と、装置周辺の明るさを検知するための照度検知手段と、照度検知手段で検知した装置周辺の明るさに応じて光源の輝度を調整する調光手段と、調光手段により調整可能な光源の限界輝度を設定するための限界輝度設定手段と、限界輝度設定手段を用いて設定された限界輝度の値を保存する保存手段とを備え、限界輝度設定手段を用いてユーザにより限界輝度の設定操作がされたときに、調光手段は、限界輝度の値が保存手段に保存される前に、一時的に、光源の輝度を、設定操作で設定された限界輝度にする。
【０００８】
上記構成においては、限界輝度設定手段を用いてユーザにより限界輝度の設定操作がされたときに、調光手段は、限界輝度の値が保存手段に保存される前に、一時的に、光源の輝度を、設定操作で設定された限界輝度にする。これにより、ユーザにより限界輝度の設定操作がされたときに、限界輝度の値が保存手段に保存される前に、ユーザが、設定した限界輝度が、表示画像を視認できないような低過ぎる又は高すぎる輝度であるか否かを知ることができる。従って、表示画像を視認できないような低過ぎる又は高すぎる輝度を限界輝度として保存手段に保存してしまうことを防ぐことができるので、特許文献１の発明のように限界輝度（最低輝度）の設定用の半固定ボリュームを有していない場合でも、ユーザが表示画像を視認できないために表示装置を操作することができなくなることを防ぐことができる。
【０００９】
上記限界輝度設定手段は、ユーザによる画面操作に応じて、限界輝度を設定するものであってもよい。この構成においても、上記に記載の効果を的確に得ることができる。
【００１０】
上記表示手段の画面に設けられたタッチパネルをさらに備え、上記のユーザによる画面操作は、ユーザによるタッチパネルを用いた操作であってもよい。この構成においても、上記に記載の効果を的確に得ることができる。
【００１１】
装置のリセット時及び装置の強制終了時の少なくともいずれかのときに、保存手段に保存された限界輝度の値を初期化する初期化手段をさらに備えることが望ましい。これにより、上記のように、本発明の表示装置が、表示画像を視認できないような低過ぎる又は高すぎる輝度の値を限界輝度の値として保存手段に保存してしまうことを防ぐ仕組みを有しているにも拘らず、仮に、上記のような低過ぎる又は高すぎる輝度の値を限界輝度の値として保存手段に保存してしまった場合でも、ユーザが装置をリセット又は強制終了するための操作を行うことにより、保存手段に保存された限界輝度の値を初期化手段で初期化することができる。これにより、ユーザが表示画像を視認できないために表示装置を操作することができなくなることを、より確実に防ぐことができる。
【００１２】
本発明の表示装置は、調光手段が、一時的に、光源の輝度を、設定操作で設定された限界輝度にしているときに、光源の輝度が一時的に限界輝度になっている旨を報知する限界輝度仮出力報知手段をさらに備えることが望ましい。これにより、表示画像が、真っ黒又は真っ白になった場合でも、何らかの故障が発生したのか、調光手段が、一時的に光源の輝度を設定操作で設定された限界輝度にしているのかを、ユーザが容易に判別することができる。
【発明の効果】
【００１３】
本発明によれば、ユーザにより限界輝度の設定操作がされたときに、限界輝度の値が保存される前に、ユーザは、設定した限界輝度が、表示画像を視認できないような低過ぎる又は高すぎる輝度であるか否かを知ることができる。従って、表示画像を視認できないような低過ぎる又は高すぎる輝度の値を限界輝度の値として保存してしまうことを防ぐことができるので、特許文献１の発明のように限界輝度（最低輝度）の設定用の半固定ボリュームを有していない場合でも、ユーザが表示画像を視認できないために表示装置を操作することができなくなることを防ぐことができる。
【図面の簡単な説明】
【００１４】
【図１】本発明の第１の実施形態に係る情報端末の外観を示す斜視図。
【図２】同情報端末の電気的ブロック構成図。
【図３】同情報端末の最低輝度設定画面を示す図。
【図４】同情報端末の最低輝度設定処理のフローチャート。
【図５】本発明の第２の実施形態に係る情報端末の最低輝度設定値初期化処理を示すフローチャート。
【発明を実施するための形態】
【００１５】
以下、本発明の実施形態について、図面を参照して説明する。以下の実施形態では、本発明を情報端末に適用した場合の例について説明する。なお、以下に記載した実施形態は、本発明を網羅するものではなく、本発明は、下記の形態だけに限定されない。
【００１６】
図１は、本発明の第１の実施形態による表示装置である情報端末の外観を示す。この情報端末１は、タブレット端末タイプの情報端末である。情報端末１は、液晶パネル２ａを有している。また、情報端末１は、液晶パネル２ａの表側と裏側とに、それぞれタッチパネル３とバックライト（図２参照）とを備えている。タッチパネル３は、ユーザによる画面操作に用いられる。また、バックライトは、液晶パネル２ａの光源（すなわち、液晶表示部（図２参照）の光源）である。また、情報端末１は、装置本体における、液晶パネル２ａが設けられている面側に、装置周辺の明るさを検知するための光センサ４（照度検知手段）と、音声出力用のスピーカ５とを有している。さらにまた、情報端末１は、ユーザが、最低輝度設定画面２１とタッチパネル３とを用いて、最低輝度設定値を変更したことにより、バックライト１２の輝度が、一時的に、最低輝度設定操作で設定された最低輝度設定値に相当する輝度になっているときに、その旨を報知するための報知用ＬＥＤ６（限界輝度仮出力報知手段）を備えている。
【００１７】
図２は、上記の情報端末１の電気的ブロック構成を示す。情報端末１は、上記の液晶表示部２（表示手段）と、タッチパネル３と、光センサ４と、スピーカ５と、報知用ＬＥＤ６と、バックライト１２に加えて、装置全体の制御を行うＣＰＵ１１（調光手段、初期化手段）と、バックライト制御部１３と、不揮発性メモリ１４（保存手段）と、通信インタフェース１５とを備えている。液晶表示部２は、上記の液晶パネル２ａと、この液晶パネル２ａにおける各液晶素子を駆動するための駆動回路２ｂとを含んでいる。液晶表示部２は、各種の画像の表示に用いられる。バックライト制御部１３は、ＣＰＵ１１の指示に従って、バックライト１２に供給する電圧を変化させることにより、バックライト１２の輝度を制御する。
【００１８】
本情報端末１の調光モードには、自動モードと手動モードとがある。自動モードとは、光センサ４で検知した装置周辺の明るさに応じてバックライト１２の輝度を自動的に調整（変更）するモードである。手動モードとは、バックライト１２の輝度を、ユーザがタッチパネル３を用いて設定した輝度設定値に応じた輝度にするモードである。
【００１９】
不揮発性メモリ１４は、調光モードの情報（現在の調光モードが自動モードか、手動モードかという情報）、自動モード時におけるバックライト１２の最低輝度の設定値（最低輝度設定値）、手動モード時の輝度設定値を含む各種の情報や、後述する最低輝度設定画面２１等の各種の画像データ等を記憶（保持）している。手動モードのときには、情報端末１のＣＰＵ１１は、不揮発性メモリ１４から上記の輝度設定値を読み取り、バックライト制御部１３を用いて、バックライト１２の輝度を、不揮発性メモリ１４から読み取った輝度設定値に応じた輝度にする。
【００２０】
一方、自動モードのときには、ＣＰＵ１１は、不揮発性メモリ１４から上記の最低輝度設定値を読み取る。そして、ＣＰＵ１１は、バックライト１２の輝度を、上記の最低輝度設定値に応じた輝度を下回らない範囲で、光センサ４で検知した装置周辺の明るさに応じた輝度にする。すなわち、ＣＰＵ１１は、バックライト１２の輝度を、原則として、光センサ４で検知した装置周辺の明るさに応じた輝度にするが、光センサ４で検知した装置周辺の明るさに応じた輝度が、最低輝度設定値に応じた輝度を下回る場合には、バックライト１２の輝度を最低輝度設定値に応じた輝度にする。従って、自動モードのときには、光センサ４で検知した装置周辺の明るさが最高の時に、バックライト１２の輝度が最高の輝度になり、光センサ４で検知した装置周辺の明るさが最低の時に、バックライト１２の輝度が最低輝度設定値に応じた輝度になる。
【００２１】
通信インタフェース１５は、無線ＬＡＮ用の通信インタフェースである。情報端末１のＣＰＵ１１は、通信インタフェース１５を介してインターネットに接続し、インターネット上のサイトから、画像データや音声データをダウンロードして、ダウンロードした画像データと音声データとに基づく画像と音声とを、液晶パネル２ａとスピーカ５とから出力することが可能である。
【００２２】
図３は、上記の自動モード時における最低輝度設定値の設定画面である最低輝度設定画面を示す。この最低輝度設定画面２１とタッチパネル３とが、請求項における限界輝度設定手段に相当する。ユーザは、この最低輝度設定画面２１とタッチパネル３とを用いて、自動モード時におけるバックライト１２の最低輝度設定値を変更することができる。この最低輝度設定画面２１には、設定可能な最低輝度の値（最低輝度設定値）の上限値と下限値との幅を示すバー２２と、最低輝度設定値を変更するための操作つまみ２３とから構成されるスライダー２４が配されている。バー２２上における操作つまみ２３の位置が、その時点における最低輝度設定値に相当する。図の例では、ユーザが、タッチパネル３を用いて、スライダー２４における操作つまみ２３をバー２２上の左方向に移動させると、最低輝度設定値が低くなり、操作つまみ２３をバー２２上の右方向に移動させると、最低輝度設定値が高くなる。また、最低輝度設定画面２１には、スライダー２４を用いた最低輝度設定値の設定完了（保存）の指示操作を行うための完了ボタン２５と、スライダー２４を用いた最低輝度設定値の設定操作を取り消すためのキャンセルボタン２６とが配設されている。
【００２３】
次に、上記図３に加えて、図４のフローチャートを参照して、上記の最低輝度（設定値）の設定処理について説明する。ユーザが、タッチパネル３等を用いて、図３に示される最低輝度設定画面２１を表示するための指示操作を行うと、情報端末１のＣＰＵ１１は、液晶パネル２ａ上に最低輝度設定画面２１の画像を表示する（Ｓ１）。そして、ユーザが、タッチパネル３を用いてバー２２上における操作つまみ２３の位置を連続的に（徐々に）変化させることにより、最低輝度設定値を連続的に変化させると、ＣＰＵ１１は、その時点における調光モードが自動モードであるか手動モードであるかに係わらず、バックライト１２の輝度を、その時点の最低輝度設定値に比例して動的に変化させる（バックライト１２の輝度を、その時点の最低輝度設定値に相当する輝度にする）（Ｓ２）。これにより、ユーザは、最低輝度時における液晶パネル２ａの輝度（バックライト１２の輝度）を目視で確認しながら、バックライト１２の最低輝度設定値の設定操作を直感的に行うことができる。なお、ユーザが、上記のタッチパネル３を用いた最低輝度設定値の設定操作を開始すると、ＣＰＵ１１は、バックライト１２の輝度が、一時的に、最低輝度設定操作で設定された最低輝度設定値に相当する輝度になっていることをユーザ報知するために、報知用ＬＥＤ６を点灯させる。
【００２４】
そして、ユーザによるタッチパネル３を用いた最低輝度設定値の設定操作が、一定時間行われないと（Ｓ３でＹＥＳ）、ＣＰＵ１１は、バックライト１２の輝度を、最低輝度設定画面２１の表示直前の輝度（表示直前に不揮発性メモリ１４に記憶されていた、調光モードの情報と最低輝度設定値と（手動モード時の）輝度設定値とに応じた輝度）に戻す（Ｓ４）。従って、バックライト１２の最低輝度設定値の設定操作中に、バックライト１２の輝度が直近の設定操作で設定した最低輝度設定値に相当する輝度になる時間を、一定時間以内にすることができる。これにより、ユーザが、最低輝度設定値の設定操作中に、最低輝度設定値を、液晶パネル２ａの表示画像を視認できないような低過ぎる輝度に相当する値に設定してしまったとしても、一定時間経過後に、バックライト１２の輝度が、最低輝度設定画面２１の表示直前の輝度に戻るので、情報端末１が操作不能になることを防止することができる。また、ＣＰＵ１１は、上記Ｓ４の処理時に（バックライト１２の輝度を、最低輝度設定画面２１の表示直前の輝度に戻すときに）、報知用ＬＥＤ６を消灯させる。
【００２５】
上記の最低輝度設定値の設定操作後に、ユーザが、完了ボタン２５（上のタッチパネル３）にタッチして、最低輝度設定値の設定完了（保存）の指示操作を行うと（Ｓ５でＹＥＳ）、ＣＰＵ１１は、上記の設定処理で設定された最終的な最低輝度設定値を、不揮発性メモリ１４に記憶（保存）した後、バックライト１２の輝度を、変更（更新）後の（保存された）最低輝度設定値と、現在の調光モード（設定）に応じた輝度にする（Ｓ６）。すなわち、最低輝度設定画面２１の表示直前の調光モードが、自動モードであった場合には、ＣＰＵ１１は、バックライト１２の輝度を、更新後の最低輝度設定値に応じた輝度を下回らない範囲で、光センサ４で検知した装置周辺の明るさに応じた輝度にする。一方、最低輝度設定画面２１の表示直前の調光モードが、手動モードであった場合には、ＣＰＵ１１は、バックライト１２の輝度を、不揮発性メモリ１４から読み取った（手動モード時の）輝度設定値に応じた輝度にする。
【００２６】
上記のように、第１の実施形態の情報端末１によれば、ユーザにより最低輝度（設定値）の設定操作がされたときに、ＣＰＵ１１は、最低輝度設定値が不揮発性メモリ１４に保存される前に、一時的に、バックライト１２の輝度を、設定操作で設定された最低輝度設定値に相当する輝度にする。これにより、ユーザにより最低輝度設定値の設定操作がされたときに、最低輝度設定値が不揮発性メモリ１４に保存される前に、ユーザが、設定した最低輝度設定値が、表示画像を視認できないような低過ぎる輝度に相当する値であるか否かを知ることができる。従って、表示画像を視認できないような低過ぎる輝度に相当する最低輝度設定値を不揮発性メモリ１４に保存してしまうことを防ぐことができるので、特許文献１の発明のように最低輝度の設定用の半固定ボリュームを有していない場合でも、ユーザが表示画像を視認できないために情報端末１を操作することができなくなることを防ぐことができる。
【００２７】
次に、図５のフローチャートを参照して、本発明の第２の実施形態による情報端末１について説明する。第２の実施形態の情報端末１は、下記の最低輝度設定値初期化機能を有していること以外は、第１の実施形態の情報端末１と同様である。この最低輝度設定値初期化機能は、上記図４に示される工夫が存在するにも拘らず、表示画像を視認できないような低過ぎる輝度に相当する最低輝度設定値を不揮発性メモリ１４に保存してしまい、かつ、ユーザが液晶パネル２ａ上の表示画像を視認できないために、情報端末１を操作できなくなった場合でも、液晶パネル２ａ上の表示画像を、ユーザが視認できるようにして、情報端末１をユーザ操作可能な状態に復帰させるためのものである。なお、上記のようにユーザが液晶パネル２ａ上の表示画像を視認できない状態は、表示画像を視認できないような低過ぎる輝度に相当する最低輝度設定値を不揮発性メモリ１４に保存してしまい、かつ、調光モードが自動モードであって、光センサ４で検知した装置周辺の明るさに応じた輝度が、最低輝度設定値に相当する輝度、又は最低輝度設定値に相当する輝度に近い輝度の場合（最低輝度、又は最低輝度に近い輝度の場合）に起こり得る。
【００２８】
第２の実施形態の情報端末１のＣＰＵ１１は、電源断処理において、正常終了の場合、又はバッテリＬＯＷ状態（バッテリの残容量が少なくなって所定の電圧を出力することができなくなった状態）のために終了する場合にのみ（Ｓ１１でＹＥＳ）、その時点で不揮発性メモリ１４に保存されている最低輝度設定値を保持し、リセットボタン押下時等の装置のリセット時、及び電源ボタン長押し等の装置の強制終了時には（Ｓ１１でＮＯ）、不揮発性メモリ１４に保存されている最低輝度設定値を初期化する（初期値に戻す）（Ｓ１２）。そして、ＣＰＵ１１は、電源断処理を継続する（Ｓ１３）。
【００２９】
上記のように、第２の実施形態の情報端末１によれば、情報端末１のリセット時及び強制終了時に、不揮発性メモリ１４に保存された最低輝度設定値を初期化する。これにより、情報端末１が、上記のように、液晶パネル２ａ上の表示画像を視認できないような低過ぎる輝度に相当する最低輝度設定値を不揮発性メモリ１４に保存してしまうことを防ぐ仕組みを有しているにも拘らず、仮に、上記のような低過ぎる輝度に相当する最低輝度設定値を不揮発性メモリ１４に保存してしまった場合でも、ユーザが装置をリセット又は強制終了するための操作を行うことにより、不揮発性メモリ１４に保存された最低輝度設定値を初期化することができる。従って、ユーザが液晶パネル２ａ上の表示画像を視認できないために情報端末１を操作することができなくなることを、より確実に防ぐことができる。
【００３０】
なお、本発明は、上記第１及び第２の実施形態の構成に限られず、発明の趣旨を変更しない範囲で種々の変形が可能である。例えば、上記の各実施形態では、本発明を、タブレット端末タイプの情報端末に適用した場合の例を示したが、本発明の適用対象となる表示装置は、これに限られず、自動調光機能を有する表示装置であればよく、例えば、スマートフォンや、テレビジョン受像機や、映像表示用のディスプレイを備えたプレーヤであってもよい。また、上記の各実施形態では、請求項における表示手段が、いわゆる液晶ディスプレイである場合の例を示したが、表示手段は、有機ＥＬディスプレイ、プラズマディスプレイ等であってもよい。また、上記の各実施形態では、請求項における保存手段が不揮発性メモリである場合の例を示したが、保存手段は、装置の電源断後も情報を保持することができるものであればよく、例えば、ハードディスク等であってもよい。
【００３１】
また、上記各実施形態では、タッチパネルを用いて最低輝度（設定値）を設定した場合の例を示したが、例えば、マウス等のポインティングデバイスを用いて最低輝度（設定値）を設定してもよい。さらにまた、上記第２の実施形態では、情報端末のリセット時及び強制終了時に、不揮発性メモリに保存された最低輝度設定値を初期化する場合の例を示したが、不揮発性メモリに前回の最低輝度設定値を保持しておいて、情報端末のリセット時及び強制終了時に、不揮発性メモリの最低輝度設定値を前回の最低輝度設定値に戻してもよい。
【００３２】
また、上記の各実施形態では、請求項における限界輝度が、最低輝度である場合の例を示したが、請求項における限界輝度は、最高輝度であってもよい。例えば、上記第１の実施形態では、ユーザにより最低輝度（設定値）の設定操作がされたときに、ＣＰＵ１１が、最低輝度設定値が不揮発性メモリ１４に保存される前に、一時的に、バックライト１２の輝度を、設定操作で設定された最低輝度設定値に相当する輝度にするようにしたが、ユーザにより最高輝度（設定値）の設定操作がされたときに、ＣＰＵが、最高輝度設定値が不揮発性メモリに保存される前に、一時的に、バックライトの輝度を、設定操作で設定された最高輝度設定値に相当する輝度にするようにしてもよい。これにより、ユーザにより最高輝度設定値の設定操作がされたときに、最高輝度設定値が不揮発性メモリに保存される前に、ユーザが、設定した最高輝度設定値が、表示画像を視認できないような（表示画面が真っ白になるような）高過ぎる輝度に相当する値であるか否かを知ることができる。従って、表示画像を視認できないような高過ぎる輝度に相当する最高輝度設定値を不揮発性メモリ１４に保存してしまうことを防ぐことができるので、特許文献１の発明のように限界輝度の設定用の半固定ボリュームを有していない場合でも、ユーザが（輝度が高すぎて）表示画像を視認できないために情報端末を操作することができなくなることを防ぐことができる。また、上記第２の実施形態では、情報端末１のリセット時及び強制終了時に、不揮発性メモリ１４に保存された最低輝度設定値を初期化するようにしたが、情報端末のリセット時及び強制終了時に、不揮発性メモリに保存された最低輝度設定値を初期化するようにしてもよい。
【符号の説明】
【００３３】
１    情報端末（表示装置）
２    液晶表示部（表示手段）
３    タッチパネル（限界輝度設定手段）
４    光センサ（照度検知手段）
６    報知用ＬＥＤ（限界輝度仮出力報知手段）
１１  ＣＰＵ（調光手段、初期化手段）
１４  不揮発性メモリ（保存手段）
２１  最低輝度設定画面（限界輝度設定手段）
【図１】
2014002258.tif 000003
【図２】
2014002258.tif 000004
【図３】
2014002258.tif 000005
【図４】
2014002258.tif 000006
【図５】
2014002258.tif 000007